(57)【要約】【課題】スリットを有する筒状編地において、編組織の構成に関わらず編成可能なスリットを有する筒状編地の編成方法を提供する。【解決手段】筒状編地のウエール方向に延びるスリット１０を介して互いに筒状編地の内外に重なる内側重ね部１１及び外側重ね部１２を有する開口ベース部１と、開口ベース部１の最終編目列に連続して筒状に編成される筒状ベース部２とを編成する。まず、開口ベース部１をスリット１０で展開し、編幅方向両端部に各重ね部１１，１２を設定した帯状編地として編成する。次に、開口ベース部１の最終編目列の編目を一方の針床に係止させてから、内側重ね部１１及び外側重ね部１２の各編目を回し込み、両重ね部１１，１２を重ね合わせる。開口ベース部１の編目に対して新たな編目を編成して筒状ベース部２を編成する。【選択図】図１
2015017337.tif 000002
【特許請求の範囲】
【請求項１】
少なくとも前後一対の針床を備え、前後いずれかの針床が左右にラッキング可能で、かつ前後の針床間で編目の目移しが可能な横編機を用いて、
筒状編地のウエール方向に延びるスリットを介して互いに筒状編地の内外に重なる内側重ね部及び外側重ね部を有する開口ベース部と、
前記開口ベース部の最終編目列に連続して筒状に編成される筒状ベース部とを編成するスリットを有する筒状編地の編成方法において、
前記開口ベース部を前記スリットで展開した帯状編地として編成する工程であって、前記帯状編地の編幅方向両端部に前記内側重ね部及び外側重ね部を編成する工程αと、
前記開口ベース部の最終編目列の編目を一方の針床に係止させる工程βと、
前記内側重ね部の編幅方向端部側から順に、前記内側重ね部の編目を含む編目を他方の針床に回し込み、その後、内側重ね部の編目を含む編目を一方の針床の空針に目移しする工程γと、
前記外側重ね部の編幅方向端部側から順に、前記外側重ね部の編目を含む編目を他方の針床に回し込む工程δと、
前記工程γで一方の針床に目移しした内側重ね部の編目を含む編目を、他方の針床の編針に戻し、前記内側重ね部及び外側重ね部の各編目で重ね目を形成する工程εと、
前記工程εで形成した重ね目を含む前記開口ベース部の編目に対して新たな編目を編成して筒状ベース部を編成する工程ζとを備えることを特徴とするスリットを有する筒状編地の編成方法。
【請求項２】
前記工程αでは、少なくとも前記内側重ね部及び外側重ね部の各々を、前後双方の針床の編針を用いて編成し、前記帯状編地の厚み方向に表目と裏目とを有する肉厚部とし、
前記工程βでは、前記肉厚部の最終編目列において、他方の針床の編針に係止された編目を、一方の針床の編針に目移しして重ね目を形成し、前記重ね目に続いて前記開口ベース部の最終編目列の編目となる新たな編目を編成することを特徴とする請求項１に記載のスリットを有する筒状編地の編成方法。
【請求項３】
前記肉厚部は、一方の針床で前編地部を編成し、他方の針床で後編地部を編成する袋編成により編成することを特徴とする請求項２に記載のスリットを有する筒状編地の編成方法。
【請求項４】
前記工程γにおける他方の針床に回し込む編目数と、前記工程δにおける他方の針床に回し込む編目数とが同じであることを特徴とする請求項１〜請求項３のいずれか１項に記載のスリットを有する筒状編地の編成方法。
【発明の詳細な説明】
【技術分野】
【０００１】
本発明は、筒状編地のウエール方向に延びて同編地の内外に重ね部が重なって形成されたスリットを有する筒状編地の編成方法に関する。
【背景技術】
【０００２】
横編機を用いて、筒状編地の編出し側に、編地の一部が縦に割れたスリットが形成され、このスリットを介して互いに筒状編地の内外に重なり合う重ね部を有する筒状編地を編成することが行われている（例えば、特許文献１（図１６〜図１８）参照）。この技術では、まず、一方の針床（前針床）に重ね部を左右に並置して重なりがない状態として、前後針床を用いてＣ字状の編成を行ってスリットを形成する。次に、編地を移動して左右の重ね部を目移しにより重ねると共に、後続のコース編成を行い筒状編地とする。
【先行技術文献】
【特許文献】
【０００３】
【特許文献１】特許第４００２８３６号公報
【発明の概要】
【発明が解決しようとする課題】
【０００４】
近年、消費者のニーズが多様化しており、例えば、スリットに沿う重ね部に種々の編組織を有する編地が望まれており、編組織の構成に関わらず編成できる方法が要望されている。
【０００５】
上記特許文献１の技術では、２枚ベッド横編機を用いて、重ね部を左右に並置した状態で、前後針床を用いてＣ字状の編成を行っているため、編組織によっては編成できない場合がある。例えば、重ね部の各々を、前後針床の編針を用いて編成するミラノリブ組織などの編組織とする場合が挙げられる。その場合、重ね部の編成には前後針床を用いる必要があり、更にそれらの編針を避けて重ね部以外の編地を編成する編針が他に必要となる。そのため、一方の針床は、空針がない状態となり、他方の編目を目移しすることなどができない。つまり、２枚ベッド横編機を用いた場合、一本置きの編針を使用した針抜き編成で行うと、編目を係止する編針と空針の関係から、目移しができない部分が出てくる。三本置きの編針を使用した針抜き編成とすることで、余分に空針を確保することができ、編組織を自由に選択できる。しかし、三本置きの針抜きで編成を行う箇所は、一本置きの針抜きでの編成に比べて編目が粗くなるため、重ね部と重ね部以外（筒状編地部分）とは風合いが異なる虞がある。
【０００６】
本発明は上記事情に鑑みてなされたもので、その目的の一つは、筒状編地のウエール方向に延びて同編地の内外に重ね部が重なって形成されたスリットを有する筒状編地において、編組織の構成に関わらず編成可能なスリットを有する筒状編地の編成方法を提供することにある。
【課題を解決するための手段】
【０００７】
本発明のスリットを有する筒状編地の編成方法は、少なくとも前後一対の針床を備え、前後いずれかの針床が左右にラッキング可能で、かつ前後の針床間で編目の目移しが可能な横編機を用いて、筒状編地のウエール方向に延びるスリットを介して互いに筒状編地の内外に重なる内側重ね部及び外側重ね部を有する開口ベース部と、前記開口ベース部の最終編目列に連続して筒状に編成される筒状ベース部とを編成する方法であって、以下の工程α〜工程ζを備える。
［工程α］…前記開口ベース部を前記スリットで展開した帯状編地として編成する工程であって、前記帯状編地の編幅方向両端部に前記内側重ね部及び外側重ね部を編成する。
［工程β］…前記開口ベース部の最終編目列の編目を一方の針床に係止させる。
［工程γ］…前記内側重ね部の編幅方向端部側から順に、前記内側重ね部の編目を含む編目を他方の針床に回し込み、その後、内側重ね部の編目を含む編目を一方の針床の空針に目移しする。
［工程δ］…前記外側重ね部の編幅方向端部側から順に、前記外側重ね部の編目を含む編目を他方の針床に回し込む。
［工程ε］…前記工程γで一方の針床に目移しした内側重ね部の編目を含む編目を、他方の針床の編針に戻し、前記内側重ね部及び外側重ね部の各編目で重ね目を形成する。
［工程ζ］…前記工程εで形成した重ね目を含む前記開口ベース部の編目に対して新たな編目を編成して筒状ベース部を編成する。
【０００８】
本発明のスリットを有する筒状編地の編成方法の一形態として、前記工程α及び工程βにおいて、以下の編成を行う形態が挙げられる。前記工程αでは、少なくとも前記内側重ね部１１及び外側重ね部１２の各々を、前後双方の針床の編針を用いて編成し、前記帯状編地の厚み方向に表目と裏目とを有する肉厚部とする。前記工程βでは、前記肉厚部の最終編目列において、他方の針床の編針に係止された編目を、一方の針床の編針に目移しして重ね目を形成し、前記重ね目に続いて前記開口ベース部１の最終編目列の編目となる新たな編目を編成する。
【０００９】
ここで言う『肉厚部』とは、筒状編地を構成する開口ベース部の少なくとも一部であって、筒状編地をその厚み方向の一方から見た場合に、同一コース上に表目と裏目とを有し、前後どちらか一方の針床で編成した編地と比較して厚みを有する。つまり、肉厚部の編成には、前後双方の針床を用いる必要がある。
【００１０】
本発明のスリットを有する筒状編地の編成方法の一形態として、帯状編地に肉厚部を備える場合、前記肉厚部は、一方の針床で前編地部を編成し、他方の針床で後編地部を編成する袋編成により編成する形態が挙げられる。
【００１１】
本発明のスリットを有する筒状編地の編成方法の一形態として、前記工程γにおける他方の針床に回し込む編目数と、前記工程δにおける他方の針床に回し込む編目数とが同じである形態が挙げられる。
【発明の効果】
【００１２】
本発明のスリットを有する筒状編地の編成方法によれば、上記開口ベース部をスリットで展開した帯状編地として編成するため、編組織の構成に関わらず容易に編成できる。
【００１３】
特に、肉厚部（例えば、内側重ね部及び外側重ね部）であっても、一本置きの編針を用いて編成する針抜き編成（２枚ベッド横編機）、もしくは連続する編針を用いて編成する総針編成（４枚ベッド横編機）で行うことができる。横編機の針床構造の違いにより編成方式が異なるのは、内側重ね部と外側重ね部を重ね合わせるにあたり、工程γにおいて、他方の針床に回し込んだ内側重ね部の編目を一方の針床に目移しするための空針を確保する必要があるためである。どちらの横編機を用いたとしても、両重ね部の編目が粗くなることを抑制でき、重ね部以外の部分と同様の目面とできるため、編地の全体に亘って風合い（見栄え）を揃えることができる。
【００１４】
肉厚部は、一方の針床で前編地部を編成し、他方の針床で後編地部を編成する袋編成により編成することで、編地の厚みを厚くでき、しっかりとした編地とできる。
【００１５】
内側重ね部及び外側重ね部の各編目を含む編目の回し込みは、回し込む編目量を同じとすることで、回し込みの回数や、ラッキング量のバランスが良く、編成効率がよい。
【図面の簡単な説明】
【００１６】
【図１】実施形態１に示すスリットを編成する手順を示す編成工程イメージ図である。
【発明を実施するための形態】
【００１７】
＜実施形態１＞
以下、本発明のスリットを有する筒状編地の編成方法の実施形態１を図面に基づいて説明する。実施形態１では、左右方向に延び、かつ前後方向に互いに対向する下部前針床（ＦＤ）と下部後針床（ＢＤ）、及びこれらＦＤとＢＤの上方に設けられる上部前針床（ＦＵ）と上部後針床（ＢＵ）を備える４枚ベッド横編機を用いた編成例を説明する。
【００１８】
図１は、実施形態１に示すスリットを編成する手順を示す編成工程イメージ図である。本実施形態では、袖口１１０にスリット１０を有する袖１００を編成する際、スリット１０を介して内側重ね部１１及び外側重ね部１２を互いに袖１００の内外に重ね合わせて形成する方法を説明する。スリット１０は、袖１００（筒状編地）の編出しから離れる方向に延びて形成されている。袖１００は、袖口１１０においてスリット１０を介して互いに重ね合わされた内側重ね部１１及び外側重ね部１２を有する開口ベース部１と、開口ベース部１に続いて筒状に編成された筒状ベース部２とを備える（図１（Ｆ）参照）。スリット１０は、通常、筒状編地の軸方向に沿った方向に形成される。
【００１９】
ここでは、内側重ね部１１及び外側重ね部１２と、両重ね部１１，１２以外において袖口１１０の編出しから適宜なコース数分を、前編地部１３ｆと後編地部１３ｂによって構成される肉厚部１３としている（図１（Ｆ）のハッチング部分参照）。また、袖１００（開口ベース部１及び筒状ベース部２）は、針抜き編成を行わず、総針編成を行う。つまり、編幅方向に隣接する編目間に空針がない状態で編成を行う。
【００２０】
［開口ベース部編成工程α］
開口ベース部１は、スリット１０（図１（Ｅ）参照）で展開した帯状編地として編成する。このとき、帯状編地の編幅両端部に内側重ね部１１及び外側重ね部１２を編成する。まず、図１（Ａ）に示すように、開口ベース部１（帯状編地）のうち、編出しから適宜なコース数を、開口ベース部１のウエール方向全域に亘って、ＦＤで前編地部１３ｆを編成し、ＢＤで後編地部１３ｂを編成して肉厚部１３（第一開口ベース部１ａ）とする。ここでは、前編地部１３ｆと後編地部１３ｂとは、袋状に繋がった編地となる。第一開口ベース部１ａを編成したら、内側重ね部１１及び外側重ね部１２以外の中央部分において、ＢＤの編針に係止された編目をＦＤの編針に目移しして重ね目を形成する。
【００２１】
次に、図１（Ｂ）に示すように、内側重ね部１１及び外側重ね部１２を上記同様にＦＤで前編地部１３ｆを編成し、ＢＤで後編地部１３ｂを編成して肉厚部１３とし、中央部分を重ね目に続けて編成することで肉厚部１３と比較して薄い単層部１４とする。つまり、内側重ね部１１及び外側重ね部１２のみが肉厚部１３（第二開口ベース部１ｂ）となる。第二開口ベース部１ｂは、例えば、内側重ね部１１の後編地部１３ｂ→同部１１の前編地部１３ｆ→中央部分の単層部１４→外側重ね部１２の前編地部１３ｆ→同部１２の後編地部１３ｂの順に編成し、その後、その逆の順に編成することを繰り返すことで編成できる。
【００２２】
上記肉厚部１３の編成は、袋編成を行っているため、前編地部１３ｆと後編地部１３ｂとによる二層構造となっている。肉厚部１３は、同一コース上でＦＤとＢＤを用いて形成されており、袋編成以外に、ジャカードやミラノリブなどが採用でき、これらの編組織を単独で用いてもよいし、組み合わせてもよい。この肉厚部は、一つの給糸口でも編成できるし、複数の給糸口でも編成できる。複数の給糸口を用いることで、素材や色の違う糸で編地を編成でき、柄の自由度も高い。
【００２３】
［重ね目形成工程β］
図１（Ｃ）に示すように、内側重ね部１１及び外側重ね部１２において、ＢＤの編針に係止された編目をＦＤの編針に目移しして重ね目を形成する。この重ね目に続けて新たな編目を編成することで、内側重ね部１１及び外側重ね部１２を単層部１４とする。この状態では、開口ベース部１の最終編目列の全編目は、ＦＤの編針に係止されている。
【００２４】
［内側重ね部の回し込み工程γ］
図１（Ｄ）に示すように、内側重ね部１１の編目を含む編目を、内側重ね部１１の編幅端部側から順に１目ずつＢＤに回し込む。編目の回し込みは、針床のラッキングと前後の針床間での目移しを利用すればよい。
【００２５】
内側重ね部１１の編目を含む適宜な編目を回し込んだら、ＢＤに回し込んだ全編目をＦＵの編針に目移しする（図示せず）。内側重ね部１１をＢＤに回し込むと、ＦＤの端部の編目とＢＤの端部の編目との間で繋がる渡り糸が存在する。この状態で、次の工程δにおいて、外側重ね部１２の編目を含む編目を回し込むと、針床のラッキングによって、上記渡り糸が切断される虞がある。よって、ＢＤに回し込んだ全編目をＦＵの編針に目移しすることで、上記渡り糸が切断されることを防止できる。
【００２６】
［外側重ね部の回し込み工程δ］
図１（Ｅ）に示すように、外側重ね部１２の編目を含む編目を、外側重ね部１２の編幅端部側から順に１目ずつＢＤに回し込む。編目の回し込みは、内側重ね部１１の回し込みと同様である。この回し込みは、外側重ね部１２が、ＦＵの編針に目移しした内側重ね部１１と対向する位置となるように行う。図１（Ｅ）では、説明の便宜上、内側重ね部１１の編目はＢＤの編針に係止され、ＦＵの編針に目移しした状態ではない。
【００２７】
内側重ね部１１の編目を含む編目の回し込み量と、外側重ね部１２の編目を含む編目の回し込み量を同じとすると、回し込みの回数とラッキング量をほぼ同等とでき、編成効率がよい。
【００２８】
［内側重ね部と外側重ね部の重ね合わせ工程ε］
工程γでＦＵの編針に目移しした内側重ね部１１の編目を、工程δでＢＤに回し込みを行った外側重ね部１２の編目を係止する編針に目移しして重ね目を形成する。このとき、開口ベース部１は、内側重ね部１１と外側重ね部１２とが編地の厚み方向に重なった状態となっている。
【００２９】
［筒状ベース部編成工程ζ］
工程εで形成した重ね目を含む開口ベース部１の最終編目列の編目に対して新たな編目を編成して、工程εで筒状となった開口ベース部１の軸方向に連続して筒状に筒状ベース部２を編成する。この編成によって、内側重ね部１１及び外側重ね部１２が前後に重なった状態で固定され、袖口１１０にスリット１０を有する袖１００が編成できる。
【００３０】
スリット１０の開口位置や、各重ね部１１，１２の重ね幅などは自由に設定できる。例えば、スリット１０の開口位置は、工程γ及び工程δにおいて、各重ね部１１，１２の各編目の回し込み条件を変えることで容易に変更できる。また、各重ね部１１，１２の重ね幅は、工程αにおいて、帯状編地の編幅方向の各重ね部の編成領域を変えることで容易に変更できる。
【００３１】
内側重ね部１１及び外側重ね部１２に、例えばボタンとボタンホールを形成して、着用時に両重ね部１１，１２を固定することもできる。
【００３２】
本実施形態では、４枚ベッド横編機を用いた例を説明したが、これに代えて前針床（ＦＢ）と後針床（ＢＢ）を備える２枚ベッド横編機に対しても適宜実施できる。２枚ベッド横編機を用いる場合は、開口ベース部１は、一本置きの編針を利用した針抜き編成を行う必要がある。それは、内側重ね部１１及び外側重ね部１２を前後に重ね合わせるにあたり、工程γでＢＢに回し込んだ内側重ね部１１の編目をＦＢに目移しする必要があるためである。一本置きの針抜き編成であれば、内側重ね部１１の編目をＦＢに目移しすることができ、工程δでＢＢに回し込んだ外側重ね部１２の編目を形成する編針に対して、編地の内側から内側重ね部１１の編目を目移しすることが可能となる。
【００３３】
本発明は、筒状編地のウエール方向に延びて同編地の内外に重ね部が重なって形成されたスリットを有する筒状編地の編成に適用可能であり、袖口以外にも、パンツの裾や、手袋、帽子などにも適用できる。
【符号の説明】
【００３４】
１  開口ベース部  １ａ  第一開口ベース部  １ｂ  第二開口ベース部
１０  スリット  １１  内側重ね部  １２  外側重ね部
１３  肉厚部  １３ｆ  前編地部  １３ｂ  後編地部
１４  単層部
２  筒状ベース部
１００  袖  １１０  袖口
【図１】
2015017337.tif 000003